(57)【要約】【課題】  本発明は、ペットボトルの飲み口部のネジを利用して保冷剤を容器内部に固定装着することで、効率のよい直接冷却を実現し、尚且つ装着したままペットボトルの飲料を飲むことも、封をすることも出来るネジ式飲料保冷具を得ることにある。【解決手段】  ペットボトル内部に投入できる棒状の保冷剤、ペットボトル口部に装着可能な雌ネジ部、ペットボトルキャップで封をすることが可能な雄ネジ部、飲料を通すための穴、連結支柱とでネジ式の飲料用保冷具を構成している。【選択図】      図１
2011063280.tif 000002
【特許請求の範囲】
【請求項１】
ペットボトル内部に投入できる棒状の保冷剤、ペットボトル口部に装着可能な雌ネジ部、ペットボトルキャップで封をすることが可能な雄ネジ部、飲料を通すための穴を連結支柱にて一体化したネジ式の飲料用保冷具。
【発明の詳細な説明】
【技術分野】
【０００１】
本発明は、ペットボトル内部に投入した保冷剤をペットボトル口部の雄ネジを利用して固定し、飲料を内部から直接冷却するためのネジ式飲料保冷具に関する。
【背景技術】
【０００２】
従来、携帯したペットボトルの飲料を長時間にわたり保冷するためには、保冷剤入りのクーラーボックスで保管するか、ペットボトルを包み込む断熱式保冷剤入り袋などを使用することが知られていた。  いずれの場合も、飲料を容器外部から間接冷却または間接保冷していた。  これらの保冷方法では、冷却対象である飲料に対して、容器、保冷剤、外気の順の配置になっており、保冷剤と外気の間で一番大きな温度差が生じていた。  そのため、保冷剤の冷却効果の半分以上は外気を冷やすことに使用されるという欠点があった。
【０００３】
一部に、ペットボトル内部に保冷剤を投入する直接冷却手法も提案されている。しかしながら、内部に投入された保冷剤は固定されず浮遊していた。  そのため、保冷剤が小さい場合は飲料を飲む際に口部に出てきて飲む行為を阻害し、大きい場合は保冷剤の取出しが困難であるという欠点があった。
【先行技術文献】
【特許文献】
【０００４】
【特許文献１】特開２００６−５２００８号公報
【特許文献２】特許２００５−５９８９２号公報
【特許文献３】特開２００２−２７７１３２号公報
【特許文献４】特開２００１−３４１７９７号公報
【特許文献５】特開２００１−２０８４６５号公報
【特許文献６】特開平８−６１８１９号公報
【非特許文献】
【０００５】
【非特許文献１】実用新案登録第３０６３５２９号公報
【発明の概要】
【発明が解決しようとする課題】
【０００６】
ペットボトルの飲料は容器の外から冷却する方法が一般的であるが、保冷剤等に代表される簡易保冷具の場合は、冷却能力の低さから、飲料に対して間接冷却では効率が悪い。
【０００７】
また、ペットボトル容器よりも大きな冷却容器が必要になる。  本数・容積に比例して、容器の容量も拡大する。
【０００８】
上記の方法では、飲む時、冷却容器からペットボトルを取り出すことになる。  そのため、飲んでいる間に、飲料が温かくなることも課題であった。
【０００９】
直接冷却するために、ペットボトル内部に投入された保冷剤は固定されていなかった。そのため、小さい場合は飲料を飲む際に口部に出てきて飲む行為を阻害し、大きい場合は保冷剤の取出しが困難であった。
本発明は、以上のような従来の欠点に鑑み、保冷剤を容器内部に固定し、直接冷却が可能で、装着したままペットボトルの飲料を飲むことも、封をすることも出来るネジ式飲料保冷具を提供する事を目的としている。
【課題を解決するための手段】
【００１０】
上記目的を達成するために、本発明は、外側にペットボトル口部と同じサイズの雄ネジが形成された筒状のキャップ取付け部兼飲み口と、内側にペットボトルキャップと同じサイズの雌ネジ部が形成された筒状のペットボトル固定部が上下構造関係になるように設ける。  キャップ取付け部内側からは連結支柱を設け、先端には、保冷剤を内部に封入した保冷剤ケースを設ける。  連結支柱は３本あり、お互いの間に空間を設け、飲料通し穴として機能させることでネジ式飲料保冷具を構成している。  これをペットボトルに装着し使用する。
【発明の効果】
【００１１】
以上の説明から明らかなように、本発明にあっては次に列挙する効果が得られる。
（１）保冷剤を包むように飲料、容器、外気の順になっており、保冷剤の冷却能力のほぼ全てを飲料に費やすことができる。  また、これらを温度の視点から見た場合も、一番温度が低い保冷具と一番温度が高い外気が対極にあり、熱伝導の順路も無駄がなく効率的である。
【００１２】
（２）前述（１）によって、短時間でペットボトル飲料を冷却することができる。
【００１３】
（３）そのため、クーラボックスで保冷するものは、ペットボトルではなく、本発明であるネジ式飲料保冷具のみである。  従って、クーラボックスの容量は、ペットボトルの本数には比例しない。  保冷具のみが必要数保冷できる容量があれば十分である。
【００１４】
（４）保冷具はペットボトル容器内に飲料が通る状態で固定されているため、飲むときにも邪魔にならない。
【００１５】
（５）保冷具を取り付けたまま、飲料を飲むことが出来るため、継続的な保冷が可能である。
【００１６】
（６）保冷具を取り付けたまま、ペットボトルのキャップで封をすることが出来、携帯中でも内部の飲料が漏れることなく、継続的な保冷が可能である。
【００１７】
（７）容器からの保冷具の取り外しは、保冷具のネジを回すだけと容易である。
【００１８】
（８）保冷具は、再冷却により繰り返し使用可能である。
【００１９】
（９）保冷具は、氷のように飲料に溶け出すことがないため、飲料の味を害さない。
【図面の簡単な説明】
【００２０】
【図１】本発明の正面図である。
【図２】本発明の上面図である。
【図３】図１のＡ−Ａ断面図である。
【図４】実施時のペットボトルおよびキャップとの組立図である。
【図５】実施中の冷却イメージ図である。
【図６】実施中の封および携帯状態図である。
【図７】実施中の飲料の流れ道図である。
【発明を実施するための形態】
【００２１】
以下、周知の製品であるが、本発明に関わるためペットボトルについて簡単に説明する。
一般的に知られているペットボトルとは、上部に開口する小径の口部が設けられており、その口部の外周部には雄ネジが形成されている。  また、封用キャップの内側には雌ネジ
が形成されていて、前述の口部の雄ネジに回し閉めて封をすることができるものである。
【００２２】
以下、本発明の実施の形態を図１、図２、図３に基づいて説明する。
（イ）外側にペットボトル口部と同じサイズの雄ネジが形成された筒状のキャップ取付け部１兼飲み口２と、内壁にペットボトルキャップと同じサイズの雌ネジ部が形成された筒状のペットボトル固定部３が上下構造関係になるように設ける。
（ロ）キャップ取付け部１の内壁には、連結支柱受け８を設ける。
（ハ）保冷剤ケース４は、ペットボトル内部に投入できる棒状とし、上部に連結支柱５を設ける。
（ニ）棒状保冷剤６を、保冷剤ケース４に格納設置する。
（ホ）連結支柱５を、下側から筒状のペットボトル固定部３の内部を通し、連結支柱受け８に接続する。
（ヘ）各々の連結支柱５間、およびペットボトル固定部３との空間は、飲料通し穴７である。
本発明は、以上のような構造である。
【実施例１】
【００２３】
以下、本発明の実施の方法を図４、図５、図６、図７に基づいて説明する。
最初に、本発明９を冷凍庫に入れ、保冷剤６を凍らせておく。  冷却対象となるペットボトル１０の封を開けてキャップ１１を外す。  図４のように、ペットボトル１０の口部から、保冷剤ケース４を下向きにした状態で本発明９を投入する。  根元まで投入したら、ペットボトル１０口部の雄ネジ部にペットボトル固定部３を押し当て、回し閉めして固定する。  この時点で、図５のイメージのように、ペットボトル１０内部の飲料１２の冷却が開始される。  先に外したキャップ１１を、雄ネジが形成されたキャップ取付け部１に押し当て、回し閉めして封をする。  この状態で、図６のように、飲料１２がペットボトル１０から漏れることはないため、携帯および保存ができる。  図７のように飲料の流れ道が確保されているため、飲料１２を飲む時は、キャップ１１を開け、飲み口２から飲むことが可能である。  飲んでいる間も、本発明９は取り付けられたままの状態であるため、冷却は継続される。  ペットボトル１０から本発明９を外す場合は、ペットボトル固定部３を回して、ネジから外れたところで、本発明９を引き抜くだけである。  本発明９は丸ごと洗浄が可能である。  再度、凍らせることにより繰り返し使用可能である。
【産業上の利用可能性】
【００２４】
本発明は、ペットボトルを冷却または保冷する分野において利用される。
【符号の説明】
【００２５】
１    キャップ取付け部
２    飲み口
３    ペットボトル固定部
４    保冷剤ケース
５    連結支柱
６    保冷剤
７    飲料通し穴
８    連結支柱受け
９    本発明
１０  ペットボトル
１１  キャップ
１２  飲料
【図１】
2011063280.tif 000003
【図２】
2011063280.tif 000004
【図３】
2011063280.tif 000005
【図４】
2011063280.tif 000006
【図５】
2011063280.tif 000007
【図６】
2011063280.tif 000008
【図７】
2011063280.tif 000009